(57)【特許請求の範囲】
【請求項１】
蛇腹状に形成されていることで伸縮可能なゴム製のエキスパンション本体と、
前記本体の少なくとも一方の面に設けられた複数の取付部と、
前記取付部を介して前記本体に取り付けられた複数の化粧材とを備え、
前記化粧材は前記本体の前記一方の面の概ね全面を覆っており、
前記化粧材は、前記本体の伸縮が可能なように、前記本体の伸縮可能な方向に互いに分割されている建築物のエキスパンション。
【請求項２】
請求項１において、
前記取付部は前記本体の一方の面に沿って形成された厚肉部を含み、
前記一方の面が概ね一つの平面上に設定され、
前記一つの平面上に前記化粧材が設けられている建築物のエキスパンション。
【請求項３】
請求項２において、
前記厚肉部が前記本体の蛇腹の波形に合せて周期的に設けられ、
互いに隣接する前記厚肉部同士が、前記伸縮方向に互いに当接して前記本体が収縮した状態が保持される建築物のエキスパンション。
【請求項４】
請求項３において、
前記各化粧材が、複数の厚肉部にわたって設けられていると共に、前記各化粧材が、それぞれ、蛇腹の波形の１つの山部の厚肉部にのみ固定されている建築物のエキスパンション。
【請求項５】
請求項４において、
前記化粧材が互いに分割された分割部においては、前記厚肉部が他の厚肉部よりも肉薄で、かつ、前記分割部から前記伸縮方向に離れるに従い厚肉となっており、前記一つの面の反対側の他の面側が抉れた断面アーチ状に形成されている建築物のエキスパンション。
【請求項６】
請求項１ないし５のいずれか１項において、
前記化粧材が金属フレームに埋設され、該フレームを介して前記化粧材が本体に取り付けられている建築物のエキスパンション。
【請求項７】
請求項１ないし５のいずれか１項において、
前記取付部には本体よりも硬質の中間材が設けられ、該中間材を介して、前記化粧材が前記本体に固定されている建築物のエキスパンション。
【請求項８】
請求項１ないし５のいずれか１項において、
前記本体は互いに別体の第１および第２端部ブロックと複数の中間ブロックとを備え、
前記中間ブロックは、互いに連結可能な形状を有する半割れの第１および第２厚肉部と、前記第１および第２厚肉部の間の分割されていない第３厚肉部とを備え、
隣接する中間ブロックの前記第１厚肉部と前記第２厚肉部とが互いに連結されている建築物のエキスパンション。
【発明の詳細な説明】
【０００１】
【発明の属する技術分野】
本発明は、建築物のエキスパンションに関するものである。
【０００２】
【従来の技術】
従来より、図５（ａ）の低層部１０１と高層部１０２との間や、図５（ｂ）の高層部１０３と、その庇１０４との間には、図６のゴム製のエキスパンション１０５が設けられる。かかるエキスパンション１０５は、地震時の振動が異なる箇所に設けられ、これにより、隙間の大きさが変化しても支障のないようにしている。すなわち、エキスパンション１０５は、地震時の動きが異なる建物や、壁、床、天井の目地を連結し、止水性、気密性および防音性を確保する。
【０００３】
【発明が解決しようとする課題】
しかし、従来のゴム性エキスパンションは、耐久性重視であれば黒色が基本であり、意匠性を重視する場合でも、構造物に近い色、たとえば外壁の色に合わせる程度しかできない。たとえば、外壁の周囲の仕上げ材が木、金属、石などの場合は、ゴムの持つ風合いと仕上げ材の風合いとが著しく異なるので、違和感が生じるのは避けられない。
【０００４】
したがって、本発明の目的は、互いに別々の揺れを生じる構造物の間に設けられ、止水機能および伸縮機能を持つ建築物のエキスパンションにおいて、構造物の仕上げ材に対し違和感の生じにくいエキスパンションを提供することである。
【０００５】
【課題を解決するための手段】
前記目的を達成するために、本発明の建築物のエキスパンションは、蛇腹状に形成されていることで伸縮可能なゴム製のエキスパンション本体と、前記本体の少なくとも一方の面に設けられた複数の取付部と、前記取付部を介して前記本体に取り付けられた複数の化粧材とを備え、前記化粧材は前記本体の前記一方の面の概ね全面を覆っており、前記化粧材は、前記本体の伸縮が可能なように、前記本体の伸縮可能な方向に互いに分割されていることを特徴とする。
【０００６】
【発明の実施の形態】
以下、本発明の実施形態を図面にしたがって説明する。
図１および図２は第１実施形態を示す。
図１において、第１の構造物１１０と第２の構造物１２０には、それぞれ、図示しないブラケット等を介して、たとえば外壁１１１，１２１のような仕上げ材が設けられている。前記第１の構造物１１０と第２の構造物１２０は、互いに異なる固有振動数を有し、地震などの際に互いに異なる揺れ（振動）を呈する。前記第１の構造物１１０と第２の構造物１２０との間には、両者の間に振動が生じても、これらの間を止水可能なエキスパンションＥが設けられている。
【０００７】
図２に示すように、前記エキスパンションＥは、ゴム製のエキスパンション本体１と、複数枚に分割された剛構造の化粧材２とを備えている。前記本体１は蛇腹状に形成されていることで、伸縮が可能である。前記本体１の両端部には、装着部２４が一体に設けられている。該装着部２４はブラケット１１２，１２２の装着溝に嵌合しており、これにより、本体１がブラケット１１２，１２２を介して、第１の構造物１１０と第２の構造物１２０との間に固定されている。
【０００８】
図１の前記本体１には、前記外壁１１１，１２１に対応する第１の面Ｆ１側に、多数の厚肉部１０〜１２が一体に形成されている。
【０００９】
前記厚肉部１０〜１２は、前記本体１の蛇腹の波形に合せて周期的に設けられ、たとえば、蛇腹の１周期ごとに概ね１つづつ設けられている。互いに隣接する前記厚肉部１０〜１２同士は、前記伸縮方向Ｘに第１当接部４１を介して互いに当接しており、前記本体１は前記第１の面Ｆ１とは反対側の第２の面Ｆ２側において波形の側部同士が本体１の伸縮方向に第２当接部４２を介して互いに隣接しており、これにより、前記本体１が収縮した状態が安定保持されている。
なお、図面を見易くするため、ゴムの部分にはハッチングを施していないが、５０は中空部である。
【００１０】
前記厚肉部１０〜１２のうち、一部の厚肉部１１には、取付部３が設けられている。本実施形態では、前記取付部３は、前記厚肉部１１に形成されたアリ溝状の溝部３０と、該溝部３０に装着された硬質の中間部材３１と、前記中間部材３１を保持する断面鉤状の保持部３２とを備えている。
なお、中間部材３１は、たとえばアルミで構成され、本体１よりもヤング率（強度）が大きな素材で形成される。
【００１１】
前記化粧材２は、金属フレーム２１に埋設されており、該金属フレーム２１および前記中間部材３１を介して、前記化粧材２が締結具２２により本体１に締結されている。なお、前記保持部３２には、前記締結具２２を挿通させるための貫通孔３３が形成されている。
【００１２】
前記厚肉部１１の伸縮方向Ｘの両側の厚肉部１０，１２にも、前記取付部３と同様な保持部３２および溝部３０が形成されている。こうして、前記第１の面Ｆ１が概ね一つの平面上に設定され、前記一つの平面上に前記複数の化粧材２，２が設けられている。
【００１３】
前記化粧材２，２は、複数の厚肉部１０〜１２にわたって設けられている。前記各化粧材２，２は、それぞれ、蛇腹の１つの山部の厚肉部１１にのみ固定されている。すなわち、前記化粧材２，２は、前記本体１の伸縮を妨げないように、前記本体１の伸縮方向Ｘに互いに分割されている。
【００１４】
前記化粧材２，２は、分割部Ｐにおいて前記のように複数に分割されている。前記厚肉部１０〜１２は、前記分割部Ｐにおいて肉薄で、かつ、前記分割部Ｐから伸縮方向Ｘに離れるに従い厚肉となっていることで、前記分割部Ｐを中心に前記第２の面Ｆ２側が抉れた断面アーチ状に形成されている。
このように、断面アーチ状に形成されていることで、本体１が収縮する場合に、後述するように、本体１が第１の面Ｆ１に向って迫り出し易いように形成されている。
【００１５】
今、構造物１１０，１２０が互いに異なる揺れを呈して厚肉部１０〜１２の間の隙間が広がると、本体１が伸びて前記当接部４１，４２の間が広がる。一方前記構造物１１０，１２０間の隙間が狭くなると、本体１が第１の面Ｆ１側に迫り出すように変形し、これに伴って、分割部Ｐが外方に向って迫り出し、２つの化粧材２，２が「ハ」の字状に変位する。したがって、互いに揺れの異なる２つの構造物１１０，１２０の間の止水機能が保持される。
【００１６】
前記第１実施形態では、本体１を一体に形成したが、本発明では、本体１を複数個に分割してもよい。また、前記第１実施形態では、中間部材３１を介して、化粧材２を本体１の厚肉部１１に取り付けたが、厚肉部に化粧材２を直接取り付けてもよい。その一例を図３の第２実施形態に示す。
【００１７】
図３（ａ）〜（ｄ）において、前記本体１は互いに別体の第１および第２端部ブロック４０，４１と複数の中間ブロック４２とを備えている。前記中間ブロック４２は、互いに連結可能な形状を有する半割れの第１および第２厚肉部１５，１６と、前記第１および第２厚肉部１５，１６の間の分割されていない第３厚肉部１７とを備えている。隣接する中間ブロック４２の前記第１厚肉部１５と前記第２厚肉部１６とは、端部に一体に形成した凸条部１５ａと嵌合溝１６ａとが互いに嵌合していると共に、この嵌合部において互いに接着されて連結されている。
【００１８】
化粧材２の金属フレーム２１は、前記厚肉部１５，１６に締結具２２により直接固定されている。したがって、本実施形態では、厚肉部１５，１６が取付部を構成している。
なお、本体１の第１の面Ｆ１は、厚肉部１５〜１７の表面で形成されている。その他の構成は、第１実施形態と同様であり、同一部分または相当部分に同一符号を付して、その説明を省略する。
【００１９】
前述のように、本体１を複数のブロック４０〜４２に分割することにより、三種の口金を用いて種々の幅の目地に本エキスパンションを取り付けることができる。たとえば、図４（ａ）〜（ｅ）に示すように、高層階の図４（ａ）から低層階の図４（ｅ）までについて、３種のブロック４０〜４２を用いて本体１を構成することができる。
【００２０】
以上説明したように、本建築物のエキスパンションを用いることにより、耐震性能や止水性能に加え、以下に示す様々な効果を得ることができる。
１．金属製のエキスパンションの場合には、周囲を仕上げる前に、予め、種々の取付工事を行う必要がある。一方、本エキスパンションは、周囲の工事が仕上がった後に取り付けることができる。また、地震発生後に、エキスパンションのメンテナンスを行う必要が生じた場合にも、本エキスパンションを容易に取り換えることができる。
２．本エキスパンションは、ゴム製のエキスパンション本体を採用しているので、従来の金属製のエキスパンションに比べて内部結露が生じにくい。
３．従来の金属製のエキスパンションに比べ、後付け工事が可能であるから、施工上融通が利く。
４．従来の金属製のエキスパンションは、目地幅に対して２倍の取付寸法が必要であるが、本エキスパンションは、当該目地幅の取付寸法でよい。
５．たとえば、壁から屋根部分への連続した部分や建物の曲面などにも、ゴム製のエキスパンション本体を湾曲させて用いることで対応することができる。
【００２１】
なお、前記各実施形態では、化粧材２，２が分割部Ｐにおいて互いに当接しているように設定したが、分割部Ｐに隙間を設けて本体１の収縮に追従できる（を許容する）ようにしてもよい。
【００２２】
【発明の効果】
以上説明したように、本発明によれば、エキスパンション本体の一方の面に設けた取付部を介して、複数個の化粧材を取り付けると共に、該複数の化粧材が前記本体の伸縮が可能なように、前記本体の伸縮方向に互いに分割されている。したがって、エキスパンションを設けた２つの構造物の間に、互いに別々の揺れを生じてもエキスパンションが伸縮して止水機能および伸縮機能を保持することができると共に、化粧材を設けていることで、構造物の仕上げ材に対し違和感を生じにくくすることができる。
なお、構造物の仕上げ材とは異なる材質や色の化粧材を利用して、目地の部分を強調することもできる。
【００２３】
また、エキスパンションの収縮時に、隣接する化粧材同士が互いに一方の面に迫り出すように、前記エキスパンション本体の形状を設定しておけば、化粧材の間に隙間を設ける必要がなく、外観を向上させることができる。
【００２４】
一方、エキスパンション本体を複数のブロックに分割すれば、少ない口金の種類で、種々の幅の目地に用いることができる。
【図面の簡単な説明】
【図１】本発明の建築物のエキスパンションの第１実施形態を示す横断面図である。
【図２】同化粧材を示す斜視図である。
【図３】第２実施形態を示すエキスパンションおよびブロックの横断面図である。
【図４】同エキスパンションを用いた例を示す横断面図である。
【図５】本発明の建築物のエキスパンションを用いることのできる目地を一例を示す為の建築物の斜視図である。
【図６】従来のエキスパンションを示す横断面図である。
【符号の説明】
１：エキスパンション本体
２：化粧材
１０〜１２：厚肉部
１５：第１厚肉部
１６：第２厚肉部
１７：第３厚肉部
２１：金属フレーム
３１：中間部材
４０：第１端部ブロック
４１：第２端部ブロック
４２：中間ブロック
Ｘ：伸縮方向
【図１】
0003881586.tif 000002
【図２】
0003881586.tif 000003
【図３】
0003881586.tif 000004
【図４】
0003881586.tif 000005
【図５】
0003881586.tif 000006
【図６】
0003881586.tif 000007